【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
記録媒体から、一部が欠けている第１の映像ストリームを読み出す読み出し手段と、
ネットワークを介してサーバと接続し、該サーバから、該第１の映像ストリームの欠けている一部を補う第２の映像ストリームを受信する接続手段と、
該第１の映像ストリームおよび第２の映像ストリームを再生する再生手段と、
該第２の映像ストリームを用いず該第１の映像ストリームの該欠けている一部を欠けたままで、該第１の映像ストリームを再生する第１の再生と、該第２の映像ストリームを用いて該第１の映像ストリームの該欠けている一部を補うように、該第１及び第２の映像ストリームを再生する第２の再生をするように該再生手段を制御する制御手段と、
を備えることを特徴とする再生装置。
【請求項２】
請求項１において、
前記一部が欠けている第１の映像ストリームは、前記第１の再生において画面の一部が欠けている映像ストリームであり、
前記第１の映像ストリームの欠けている一部を補う第２の映像ストリームは、該画面の一部を補う映像ストリームであること、
を特徴とする再生装置。
【請求項３】
請求項１において、
前記一部が欠けている第１の映像ストリームは、前記第１の再生において画面の高解像度成分が欠けている映像ストリームであり、前記第１の再生は低解像度の再生であり、
前記第１の映像ストリームの欠けている一部を補う第２の映像ストリームは、該高解像度成分であり、前記第２の再生は高解像度の再生であること、
を特徴とする再生装置。
【請求項４】
請求項１ないし３のいずれかにおいて、
前記制御手段は、前記接続手段が前記サーバから前記第２の映像ストリームを受信するときに、前記第２の映像ストリームに関するユーザの視聴条件を前記サーバが判定する際に用いる視聴条件判定情報を、前記接続手段およびネットワークを介して前記サーバに送信すること、
を特徴とする再生装置。
【請求項５】
請求項４において、
前記視聴条件判定情報は、前記ユーザの年齢または支払能力を含み、
前記サーバは、該ユーザの年齢または支払能力が所定条件を満たさないとき、前記第２の映像ストリームを送信しないこと、
を特徴とする再生装置。
【請求項６】
請求項４において、
前記読み出し手段は、前記記録媒体から前記記録媒体に固有のＩＤを読み取り、
前記視聴条件判定情報は、該ＩＤを含み、
前記サーバは、該ＩＤが所定条件を満たさないとき、前記第２の映像ストリームを送信しないこと、
を特徴とする再生装置。
【請求項７】
請求項６において、
前記ＩＤは、前記記録媒体が販売される地域ごとに異なる地域コードが含まれており、
前記サーバは、前記ＩＤに含まれる該地域コードを用いて、前記第２の映像ストリームを送信するか判定すること、
を特徴とする再生装置。
【請求項８】
請求項４において、
前記読み出し手段は、前記記録媒体から前記記録媒体に固有のＩＤを読み取り、
前記視聴条件判定情報は、該ＩＤを含み、
前記サーバは、前記第２の映像ストリームとして複数の映像ストリームを有しており、該ＩＤが満たす条件により該複数の映像ストリームのうち１つを選択し、該選択した映像ストリームを前記第２の映像ストリームとして送信すること、
を特徴とする再生装置。
【請求項９】
請求項８において、
前記サーバは、前記ＩＤを受信して前記第２の映像ストリームを送信した回数に応じて、前記複数の映像ストリームのうち１つを選択し、該選択した映像ストリームを前記第２の映像ストリームとして送信すること、
を特徴とする再生装置。
【請求項１０】
請求項１ないし９のいずれかにおいて、
前記サーバは、前記第２の映像ストリームとして複数の映像ストリームを有しており、日時に応じて該複数の映像ストリームのうち１つを選択し、該選択した映像ストリームを前記第２の映像ストリームとして送信すること、
を特徴とする再生装置。
【請求項１１】
読出しのみが可能な記録媒体を読み出すドライブ部と、前記ドライブ部から第一のストリームを受け取り、第一の映像ストリームと第一の音声ストリームに分離する第一のパケット分離部と、前記第一のパケット分離部から第一の映像ストリームを受け取り、デコード処理を行い第一の映像信号を出力する第一のビデオエンコーダと、前記第一のパケット分離部から第一の音声ストリームを受け取り、デコード処理を行い第一の音声信号を出力する第一のオーディオエンコーダと、ネットワークから第二のストリームを受け取るネットワーク接続部と、前記第二のストリームを記録する記録媒体と、前記記録媒体に格納された第二のストリームを読み出す記録媒体Ｉ／Ｏ部と、前記読み出し部から第二のストリームを受け取り、第二の映像ストリームと第二の音声ストリームに分離する第二のパケット分離部と、前記第二のパケット分離部から第二の映像ストリームを受け取り、デコード処理を行い第二の映像信号を出力する第二のビデオエンコーダと、前記第二のパケット分離部から第二の音声ストリームを受け取り、デコード処理を行い第二の音声信号を出力する第二のオーディオエンコーダと、前記第一の映像信号と、前記第二の映像信号を受け取り、後述するシステム制御部の制御に基づき重畳した第三の映像信号を出力するグラフィックス表示部と、前記第一の音声信号と、前記第二の音声信号を受け取り、後述するシステム制御部の制御に基づき重畳した第三の音声信号を出力するオーディオミキシング部と、前述の各部を制御するシステム制御部からなり、前記システム制御部は、前記第一の映像信号で表示されない部分を前記ネットワーク接続部に接続されたサーバにアクセスし、前記サーバから要求される認証を視聴者が行い、前記サーバに認証された場合に前記サーバから送信される第二のストリームを受け取り、第一のストリームと映像、音声を重畳した第三の映像信号、第三の音声信号を出力することを特徴とした再生装置。
【請求項１２】
前記サーバは、前記ネットワーク接続部から第二のストリームを送信する際、第一のストリームで表示されない部分を分割し、一部分だけを送信することを特徴とした請求項１１に記載の再生装置。
【請求項１３】
前記サーバは、解像度の異なる第二のストリームを複数持ち、前記ネットワーク接続部の要求に応じて第二のストリームを選択し出力することを特徴とした請求項１１に記載の再生装置。
【請求項１４】
前記サーバは、前記ネットワーク接続部から第二のストリームを要求された際、送信する第二のストリームに応じて視聴者に課金することを特徴とした請求項１３に記載の再生装置。
【請求項１５】
前記サーバは、内容の異なる第二のストリームを複数持ち、前記ネットワーク接続部から送信される第一のストリームの再生回数に応じて、第二のストリームを選択し出力することを特徴とした請求項１１に記載の再生装置。
【請求項１６】
請求項１５に記載の再生装置において、前記サーバは、前記ネットワーク接続部から送信される第一のストリームの再生日時に応じて、第二のストリームを選択し出力することを特徴とする再生装置。
【請求項１７】
請求項１１に記載の再生装置において、前記第二のストリームは、視聴者の操作に応じて第一のストリームの一部を隠蔽するように表示することを特徴とする再生装置。
【請求項１８】
請求項１１に記載の再生装置において、前記第二のストリームは、視聴者の操作に応じて第一のストリームの音声の一部を消音することを特徴とする再生装置。
【請求項１９】
再生装置によって読み出し可能な記録媒体であって、
一部が欠けている第１の映像ストリームと、
該第１の映像ストリームの該欠けている一部を補うように該第１の映像ストリームとともに再生する第２の映像ストリームを、該再生装置がネットワークを介してサーバから受信するときに、該第２の映像ストリームに関するユーザの視聴条件を該サーバが判定する際に用いる視聴条件判定情報として、該再生装置が該サーバに送信する、該記録媒体に固有のＩＤと、
が記録されている記録媒体。
【請求項２０】
請求項１９において、
前記ＩＤは、前記記録媒体が販売される地域ごとに異なる地域コードが含まれており、
該地域コードは、前記サーバによって、前記第２の映像ストリームを送信するか判定する際に用いられること、
を特徴とする記録媒体。
【請求項２１】
請求項１９または２０において、
前記ＩＤは、前記サーバが前記第２の映像ストリームとして複数有している映像ストリームのうち、いずれを送信するかを選択する際に用いられること、
を特徴とする記録媒体。